(57)【特許請求の範囲】
【請求項１】
液体を充填可能な胴部および前記胴部の先端に取り付けられた前記液体を排出するための針が設けられたシリンジを有する本体部と、前記針を覆う筒状のキャップとを備え、前記キャップの外周面または前記本体部と前記キャップとの間に段差部が設けられた液体注入具を収納するための包装体であって、
底部と、前記底部の周囲から上方に延びる側壁部と、前記側壁部の上端に囲まれた開口部と、前記底部と前記側壁部とから形成される前記液体注入具を収納する収納空間とを有する容器を備え、
前記収納空間は、前記収納空間に収納された前記液体注入具の前記キャップを収納するキャップ収納空間を有し、
前記液体注入具から前記キャップを取り外すために前記段差部と係合する係合部が前記キャップ収納空間内に形成されており、
前記収納空間から前記開口部を介して前記液体注入具を取り出す際に、前記キャップの前記段差部に前記係合部が係合した状態で、前記シリンジの軸と前記キャップの軸とを略一致させたまま前記液体注入具の基端部を前記開口部から突出させることが可能であり、
前記係合部は、前記底部から前記キャップ収納空間に向かって突出した第１の突出部と、前記キャップ収納空間に収納された前記キャップの先端に対向する前記側壁部から前記キャップ収納空間に向かって突出した第２の突出部とを有し、
前記収納空間に前記液体注入具が収納された状態では、前記第１の突出部および前記第２の突出部はそれぞれ前記段差部から離間しており、かつ、前記第１の突出部は前記段差部よりも基端側に位置し、前記第２の突出部は前記キャップの先端部に対向し、
前記キャップの少なくとも前記段差部が前記キャップ収納空間に収納された状態で前記液体注入具の基端部を前記開口部より上方に突出させ、前記液体注入具を前記収納空間に対して傾斜させることにより、前記第１の突出部および前記第２の突出部はそれぞれ前記段差部と係合することを特徴とする包装体。
【請求項２】
前記第１の突出部の突出端の中心と前記第２の突出部の突出端の中心とを結ぶ直線と、前記液体注入具の前記キャップの中心軸とのなす角度θは、前記液体注入具が前記収納空間に収納された状態において、６５〜７５°である請求項１に記載の包装体。
【請求項３】
前記角度θは、前記第１の突出部および前記第２の突出部がそれぞれ前記段差部と係合した状態において、約９０°になる請求項２に記載の包装体。
【請求項４】
前記収納空間から前記開口部を介して前記液体注入具を取り出す際に、前記第１の突出部および前記第２の突出部は、それぞれ、前記段差部の前記キャップの軸を挟んで対向する部分に係合する請求項３に記載の包装体。
【請求項５】
前記液体注入具は、長尺形状をなし、
前記開口部は、長手形状をなし、
前記液体注入具を、前記液体注入具の軸が前記開口部の長手方向と略平行な状態で前記収納空間に収納可能なように、前記容器は、前記底部に対して垂直方向から見た平面視において長軸と短軸とを有する形状であり、
前記第１の突出部および前記第２の突出部は、それぞれ、前記キャップ収納空間の前記短軸方向の中央部に配置されている請求項４に記載の包装体。
【請求項６】
前記収納空間に収納された前記液体注入具の基端部を前記開口部より上方に突出させた際に、前記キャップの前記段差部よりも先端側の部分が前記第２の突出部を乗り越えることにより、前記段差部に前記第２の突出部が係合する請求項３ないし５のいずれか１項に記載の包装体。
【請求項７】
前記段差部は、前記キャップの先端部の外周面に設けられている請求項１ないし６のいずれか１項に記載の包装体。
【請求項８】
前記開口部を封止する封止部材を有する請求項１ないし７のいずれか１項に記載の包装体。
【請求項９】
請求項８に記載の包装体と、
前記収納空間に収納された前記液体注入具とを有し、
前記封止部材により前記開口部が封止されていることを特徴とする包装組立体。
【発明の詳細な説明】
【技術分野】
【０００１】
本発明は、包装体および包装組立体に関するものである。
【背景技術】
【０００２】
薬液を生体に投与する際、コイルバネの付勢力により、プランジャが先端方向に押圧され、自動的にプランジャが先端方向に移動するよう構成されたオートインジェクタ等の液体注入具が知られている（例えば、特許文献１参照）。液体注入具の先端部には、キャップが着脱可能に装着されており、これにより、液体注入具の中空針を保護することができ、また、前記中空針による誤穿刺等を防止することができる。この液体注入具によれば、高齢者等の握力の弱い人や、リウマチ患者等の手指が不自由な人でも容易かつ確実に薬液を投与することができる。
【０００３】
このような液体注入具は、例えば、特許文献２に記載のブリスター包装体等に収納されている。これにより、輸送時に液体注入具を保護したり、液体注入具からの薬液の水分蒸散を防止したり、液体注入具の周囲の無菌状態を維持したりすることができる。液体注入具を使用する際は、液体注入具を包装体から取り出し、先端に装着されているキャップを手指で摘まんで取り外す。
【０００４】
しかしながら、高齢者等の握力の弱い人や、リウマチ患者等の手指が不自由な人は、キャップを手指で摘まんで取り外すのが難しいという問題がある。
【０００５】
また、液体注入具を使用するためには、一旦、包装体から液体注入具を取り出してから、キャップを手指で摘まんで取り外す操作を行う必要がある。
【先行技術文献】
【特許文献】
【０００６】
【特許文献１】国際公開第２０１２／１３７８０３号公報
【特許文献２】特表２００７−５３６０４７号公報
【発明の概要】
【発明が解決しようとする課題】
【０００７】
本発明の目的は、収納されたオートインジェクタ等の液体注入具を使用する際に、液体注入具のキャップを容易に取り外すことができ、かつ、キャップを手指で摘まんで取り外す操作を省略することができる包装体および包装組立体を提供することにある。
【課題を解決するための手段】
【０００８】
このような目的は、下記（１）〜（９）の本発明により達成される。
（１）  液体を充填可能な胴部および前記胴部の先端に取り付けられた前記液体を排出するための針が設けられたシリンジを有する本体部と、前記針を覆う筒状のキャップとを備え、前記キャップの外周面または前記本体部と前記キャップとの間に段差部が設けられた液体注入具を収納するための包装体であって、
底部と、前記底部の周囲から上方に延びる側壁部と、前記側壁部の上端に囲まれた開口部と、前記底部と前記側壁部とから形成される前記液体注入具を収納する収納空間とを有する容器を備え、
前記収納空間は、前記収納空間に収納された前記液体注入具の前記キャップを収納するキャップ収納空間を有し、
前記液体注入具から前記キャップを取り外すために前記段差部と係合する係合部が前記キャップ収納空間内に形成されており、
前記収納空間から前記開口部を介して前記液体注入具を取り出す際に、前記キャップの前記段差部に前記係合部が係合した状態で、前記シリンジの軸と前記キャップの軸とを略一致させたまま前記液体注入具の基端部を前記開口部から突出させることが可能であり、
前記係合部は、前記底部から前記キャップ収納空間に向かって突出した第１の突出部と、前記キャップ収納空間に収納された前記キャップの先端に対向する前記側壁部から前記キャップ収納空間に向かって突出した第２の突出部とを有し、
前記収納空間に前記液体注入具が収納された状態では、前記第１の突出部および前記第２の突出部はそれぞれ前記段差部から離間しており、かつ、前記第１の突出部は前記段差部よりも基端側に位置し、前記第２の突出部は前記キャップの先端部に対向し、
前記キャップの少なくとも前記段差部が前記キャップ収納空間に収納された状態で前記液体注入具の基端部を前記開口部より上方に突出させ、前記液体注入具を前記収納空間に対して傾斜させることにより、前記第１の突出部および前記第２の突出部はそれぞれ前記段差部と係合することを特徴とする包装体。
【０００９】
（２）  前記第１の突出部の突出端の中心と前記第２の突出部の突出端の中心とを結ぶ直線と、前記液体注入具の前記キャップの中心軸とのなす角度θは、前記液体注入具が前記収納空間に収納された状態において、６５〜７５°である上記（１）に記載の包装体。
【００１０】
（３）  前記角度θは、前記第１の突出部および前記第２の突出部がそれぞれ前記段差部と係合した状態において、約９０°になる上記（２）に記載の包装体。
【００１１】
（４）  前記収納空間から前記開口部を介して前記液体注入具を取り出す際に、前記第１の突出部および前記第２の突出部は、それぞれ、前記段差部の前記キャップの軸を挟んで対向する部分に係合する上記（３）に記載の包装体。
【００１２】
（５）  前記液体注入具は、長尺形状をなし、
前記開口部は、長手形状をなし、
前記液体注入具を、前記液体注入具の軸が前記開口部の長手方向と略平行な状態で前記収納空間に収納可能なように、前記容器は、前記底部に対して垂直方向から見た平面視において長軸と短軸とを有する形状であり、
前記第１の突出部および前記第２の突出部は、それぞれ、前記キャップ収納空間の前記短軸方向の中央部に配置されている上記（４）に記載の包装体。
【００１３】
（６）  前記収納空間に収納された前記液体注入具の基端部を前記開口部より上方に突出させた際に、前記キャップの前記段差部よりも先端側の部分が前記第２の突出部を乗り越えることにより、前記段差部に前記第２の突出部が係合する上記（３）ないし（５）のいずれかに記載の包装体。
【００１４】
（７）  前記段差部は、前記キャップの先端部の外周面に設けられている上記（１）ないし（６）のいずれかに記載の包装体。
【００１５】
（８）  前記開口部を封止する封止部材を有する上記（１）ないし（７）のいずれかに記載の包装体。
【００１６】
（９）  上記（８）に記載の包装体と、
前記収納空間に収納された前記液体注入具とを有し、
前記封止部材により前記開口部が封止されていることを特徴とする包装組立体。
【発明の効果】
【００１７】
本発明によれば、オートインジェクタ等の液体注入具からキャップを取り外す際、包装体の係合部にキャップの段差部を係合させることにより、キャップを容易かつ確実に取り外すことができる。
【００１８】
また、包装体の収納空間から液体投与具を取り出す際に、キャップの段差部に包装体の係合部が係合することによりキャップを取り外すことができ、キャップを手指で摘まんで取り外す操作を省略することができる。すなわち、包装体の収納空間から液体投与具を取り出してキャップを取り外す操作を１工程で行うことができ、その操作を簡略化することができる。
【００１９】
また、液体投与具のシリンジの軸とキャップの軸とを略一致させたまま液体投与具の基端部を開口部から突出させることが可能であるので、包装体の収納空間から液体投与具を取り出しつつキャップを取り外す際に、針を曲げてしまうことを防止することができる。
【００２０】
また、係合部がキャップ収納空間内に形成されているので、液体注入具からキャップを取り外した場合、キャップがキャップ収納空間内に収納され、これにより、キャップが転がったりせず、廃棄し易い。
【図面の簡単な説明】
【００２１】
【図１】本発明の包装組立体の実施形態を示す斜視図である。
【図２】図１に示す包装組立体の封止部材を剥離した状態を示す斜視図である。
【図３】図１に示す包装組立体のキャップを取り外す際の操作手順を説明するための断面図である。
【図４】図１に示す包装組立体のキャップを取り外す際の操作手順を説明するための断面図である。
【図５】図１に示す包装組立体のキャップを取り外す際の操作手順を説明するための断面図である。
【発明を実施するための形態】
【００２２】
以下、本発明の包装体および包装組立体を添付図面に示す実施形態に基づいて詳細に説明する。
【００２３】
図１は、本発明の包装組立体の実施形態を示す斜視図である。図２は、図１に示す包装組立体の封止部材を剥離した状態を示す斜視図である。図３〜図５は、それぞれ、図１に示す包装組立体のキャップを取り外す際の操作手順を説明するための断面図である。
【００２４】
なお、以下では、説明の都合上、図１〜図５中の上側を「上」または「上方」、下側を「下」または「下方」、右側を「右」、左側を「左」と言う。また、説明の都合上、液体注入具の図２中の左側を「基端」、右側を「先端」と言う。また、図３〜図５では、押し子および第２のコイルバネの図示を省略している。
【００２５】
図１および図２に示すように、包装組立体１は、液体注入具５と、その液体注入具５を収納する包装体２とを有している。
【００２６】
液体注入具５は、長尺形状をなし、薬液（液体）が予め充填されたオートインジェクタであり、その薬液を生体に注入する（投与する）際に用いられるものである。なお、薬液としては、特に限定されず、その使用目的に応じて適宜選択されるが、例えば、造血剤、ワクチン、ホルモン製剤、抗リウマチ剤、抗ガン剤、麻酔剤、血液凝固防止剤等が挙げられる。
【００２７】
図２〜図５に示すように、液体注入具５は、長尺形状をなす液体注入具本体（本体部）６と、液体注入具本体６に着脱可能に装着されたキャップ７とを有している。液体注入具本体６にキャップ７が装着されていることにより、液体注入具本体６の後述する針６６を保護することができ、また、針６６による誤穿刺等を防止することができる。
【００２８】
液体注入具本体６は、有底筒状をなすハウジング６３と、ハウジングの内周側に配置されたシリンジ６１と、シリンジ６１を保持するシリンジホルダ６２と、シリンジ６１の後述する針６６の少なくとも先端部を覆う針カバー６４と、図示しない第１のコイルバネと、図示しない第２のコイルバネとを備えている。シリンジホルダ６２は、ハウジング６３に保持されている。また、ハウジング６３は、シリンジ６１の針６６以外の部分、すなわち、筒体６１１を覆っている。このハウジング６３は、薬液を生体に注入する際に把持する把持部でもある。なお、ハウジング６３は、シリンジ６１の少なくとも基端部を覆っていればよい。
【００２９】
シリンジ６１は、有底筒状をなし、薬液を充填可能な筒体６１１と、筒体６１１の先端部に取り付けられ、前記薬液を排出する針（中空針）６６と、筒体６１１内に設けられ、その筒体６１１内で摺動し得るガスケット６７と、ガスケット６７に連結された図示しない押し子とを有している。前記第１のコイルバネは、前記押し子を介してガスケット６７を先端方向に向かって付勢している。また、図示しない保持部が押し子に係合し、押し子の先端方向への移動が阻止されている。
【００３０】
筒体６１１は、底部を有する胴部６１２と、前記底部の中央部に設けられ、胴部６１２に対し縮径した縮径部６１３とを有しており、これらが一体的に形成されている。そして、縮径部６１３により、液体が出入り可能な口部が構成される。また、胴部６１２の先端部に設けられた縮径部６１３には、針６６が取り付けられている（固定されている）。
【００３１】
筒体６１１の内腔部、すなわち、筒体６１１とガスケット６７とで囲まれる空間であって、ガスケット６７の先端側に位置する空間内には、予め薬液が収納されている。
【００３２】
針６６は、中空の針管であり、先端に鋭利な針先を有し、針先で生体を穿刺することができる。針６６の内腔部は、筒体６１１の内腔部と連通しており、筒体６１１からの薬液が通過する流路として機能する。針６６の針先で生体を皮膚から所定の深さまで穿刺した後、体内にその針６６の流路を介して薬液が注入される。
【００３３】
針カバー６４は、先端開口を有し、ハウジング６３に、液体注入具５の軸方向に移動可能に設置されている。この針カバー６４は、針６６の少なくとも針先を覆う第１の位置（カバー位置）と、針６６の針先を露出させる第２の位置（退避位置）とに移動可能である。前記第２のコイルバネは、針カバー６４が第１の位置に位置し、針カバー６４の先端開口が針６６の針先よりも先端側に位置するように、針カバー６４を先端方向に向かって付勢している。
【００３４】
薬液を生体に注入する際は、液体注入具５のハウジング６３を把持し、液体注入具５からキャップ７を取り外した後、針カバー６４の先端部を生体表面の目的部位に押し付ける。これにより、針カバー６４は、基端方向に向かって第２の位置に移動し、針６６の針先が生体表面を穿刺する。そして、針カバー６４が第２の位置に移動すると、前記保持部と前記押し子との係合が外れ、前記第１のコイルバネの付勢力により、押し子を介してガスケット６７が先端方向に移動し、これにより、薬液が針６６から排出される。このように、この液体注入具５によれば、第１のコイルバネの付勢力により自動的にガスケット６７が先端方向に移動するので、高齢者等の握力の弱い人や、リウマチ患者等の手指が不自由な人でも容易かつ確実に薬液を投与することができる。
【００３５】
キャップ７は、針シールド部材７１と、針シールド部材７１の外周側に配置されたリムーバー７２とを有している。
【００３６】
針シールド部材７１は、針６６の針先を覆う針先保護部材７１１と、針先保護部材７１１を保持するカバー部材７１２とを有している。針先保護部材７１１は、例えば、ゴム材料等で構成されており、シリンジ６１の縮径部６１３に着脱自在に装着されている。また、針先保護部材７１１により、針６６の針先の開口が封止されている。なお、針先保護部材７１１およびカバー部材７１２の形状は、特に限定されないが、本実施形態では、有底筒状をなしている。
【００３７】
リムーバー７２は、外筒７２１と、外筒７２１の内側に、外筒７２１と同心的に配置された内筒７２２とを有している。すなわち、リムーバー７２は、筒状をなしている。また、内筒７２２の基端には、１対の腕部７２３が、基端側に向って突出し、かつ、液体注入具５の軸を挟んで互いに対向するように形成されている。また、各腕部７２３の基端部には、爪７２４が、液体注入具５の軸に向って突出するように形成されている。
【００３８】
前記針シールド部材７１のカバー部材７１２は、内筒７２２の内側に配置され、その内筒７２２に保持されている。また、各腕部７２３の爪７２４は、カバー部材７１２の基端に係合している。これにより、液体注入具５からキャップ７を取り外す際、リムーバー７２が液体注入具本体６に対して先端方向に移動すると、リムーバー７２とともに針シールド部材７１も先端方向に移動し、キャップ７を取り外すことができる。
【００３９】
このリムーバー７２は、液体注入具本体６のハウジング６３の先端部に装着されている。この場合、外筒７２１の基端部が、ハウジング６３の先端部の外周部に嵌合し、また、各腕部７２３の基端部が、ハウジング６３の先端部の内周部に嵌合している。このように、キャップ７が装着された状態の液体注入具５では、リムーバー７２は、ハウジング６３の先端部の内周面および外周面に当接しているので、液体注入具５からキャップ７を取り外す際、ハウジング６３に対してリムーバー７２が曲がることを阻止することができ、これにより、キャップ７で針６６が曲げられてしまうことを防止することができる。
【００４０】
また、ハウジング６３とキャップ７のリムーバー７２の外筒７２１との間には、胴部６１２の側面よりも外側に突出した段差部（第１の段差部）７２５が設けられている。この段差部７２５は、外筒７２１の基端部等で構成され、液体注入具５の軸周りに１周に亘って設けられている。
【００４１】
また、外筒７２１の先端部の外周面には、外筒７２１の基端部に対して縮径した縮径部と、その縮径部に対して拡径した拡径部とが形成されており、その縮径部と拡径部とで、胴部６１２の側面よりも外側に突出した段差部（第２の段差部）７２６が設けられている。この段差部７２６は、外筒７２１の先端部の外周面に、液体注入具５の軸周りに１周に亘って設けられている。この包装組立体１では、後述するように、包装体２の収納空間３４から液体注入具５を取り出しつつ、液体注入具５からキャップ７を取り外すことができるようになっているが、段差部７２６は、その際、包装体２の後述する第１の突出部３６および第２の突出部３７に係合する。
【００４２】
また、この包装組立体１では、後述するように、キャップ７の段差部７２６よりも先端側の部分が第２の突出部３７を乗り越えることにより、段差部７２６に第２の突出部３７が係合するが（図３、図４参照）、段差部７２６が外筒７２１の先端部の外周面に設けられているので、キャップ７の段差部７２６よりも先端側の部分が第２の突出部３７を容易に乗り越えることができ、これにより、容易に段差部７２６を第２の突出部３７と係合させることができる。
【００４３】
なお、キャップ７のリムーバー７２を手指で把持して先端方向に引き抜くことにより、液体注入具５からキャップ７を取り外すことができるが、段差部７２６は、その際に、手指を引っ掛ける指掛部として機能する。
【００４４】
次に、包装体２について説明する。
図１および図２に示すように、包装体２は、液体注入具５を収納する容器３と、容器３に離脱可能に取り付けられた封止部材４とを備えている。封止部材４は、シート状をなしている、すなわち、平坦な形状をなすシート材で構成されている。
【００４５】
図２〜図４に示すように、容器３は、液体注入具５を収納可能、すなわち、液体注入具５を収納する後述の収納空間３４を確保することができる突出形状（ブリスター形状）に成形されている。すなわち、容器３は、底部３１と、底部３１の周囲から上方に延びる側壁部３２と、側壁部３２の上端から側方に延び、封止部材４を取り付けるためのフランジ部３３とを有している。そして、底部３１および側壁部３２により、その内側の部分に、液体注入具５を収納するための収納空間３４が形成され、収納空間３４の上端に、収納空間３４から液体注入具５を取り出すための開口部３５が形成されており、液体注入具５は、収納空間３４から開口部３５を介して取り出される。また、収納空間３４のうち、右側の端部は、液体注入具５のキャップ７を収納するキャップ収納空間３８である。また、収納空間３４の左側の端部附近は、幅広に形成されており、使用者は、包装体２（容器３）から液体注入具５を取り出す際、その幅広の部分に手指を挿入し、その手指で液体注入具５の基端部を把持することができる。なお、開口部３５は、側壁部３２の上端で囲まれている。
【００４６】
また、容器３の形状は、特に限定されないが、本実施形態では、底部３１に対して垂直方向から見た平面視（以下、平面視と言う）で、長軸および短軸を有する長手形状、すなわち、略長方形をなしている。なお、図２には、前記長軸の方向を「Ｘ」、前記短軸の方向を「Ｙ」で示す。
【００４７】
また、開口部３５の形状は、特に限定されないが、本実施形態では、平面視で、長軸および短軸を有する長手形状をなしている。
【００４８】
また、収納空間３４の形状は、特に限定されないが、液体注入具５を、液体注入具５の中心軸（軸）５１が開口部３５の長手方向と略平行な状態で収納空間３４に収納可能な形状をなしている。
【００４９】
また、前述したように、容器３の上端部の外周部には、その１周に亘って、フランジ部３３が形成されている。このフランジ部３３は、４辺のうち、左側の部分が他の部分よりも大きく形成されている。
【００５０】
また、容器３の長軸方向Ｘにおけるフランジ部３３の端部、すなわち、フランジ部３３の左側の部分には、側方に向かって開口した切欠部３３１が形成されている。切欠部３３１の形状は、特に限定されないが、本実施形態では、円弧状をなしている。
【００５１】
また、フランジ部３３の上面は、封止部材４を取り付け可能な部位であり、そのフランジ部３３の上面に、封止部材４が、例えば、融着または接着等により、離脱可能に取り付けられている。これにより、封止部材４によりフランジ部３３が覆われるとともに、開口部３５が気密的に封止され、包装体２の内部の無菌状態を維持することができる。
【００５２】
また、包装体２から封止部材４を剥離する際は、封止部材４のうち、切欠部３３１の欠損している部分に対応する部分を把持することで、封止部材４を容易に剥離することができる。
【００５３】
また、容器３は、その右側の端部のキャップ収納空間３８内に形成された第１の突出部３６および第２の突出部３７を有している。この第１の突出部３６および第２の突出部３７は、それぞれ、液体注入具５からキャップ７を取り外すためにキャップ７の段差部７２６と係合する係合部として機能する。
【００５４】
第１の突出部３６は、容器３の右側の端部の底部３１の内面からキャップ収納空間３８に向かって突出している。また、第２の突出部３７は、容器３の右側の端部の側壁部３２、すなわち、キャップ収納空間３８に収納されたキャップ７の先端に対向する側壁部３２の内面からキャップ収納空間３８に突出している。また、第２の突出部３７は、側壁部３２の上端部、すなわち、開口部３５の近傍に配置されており、これにより、使用者は、容易に第２の突出部３７を認識することができる。また、第１の突出部３６および第２の突出部３７は、それぞれ、容器３の短軸方向Ｙにおけるキャップ収納空間３８の中央部に配置されている。これにより、液体注入具５からキャップ７を取り外す際、第１の突出部３６および第２の突出部３７は、確実に液体注入具５の中心軸５１を挟むように段差部７２６と係合する。
【００５５】
また、収納空間３４に液体注入具５が収納された状態では、第１の突出部３６および第２の突出部３７は、それぞれ、キャップ７の段差部７２６から離間している。すなわち、第１の突出部３６および第２の突出部３７は、それぞれ、収納空間３４に液体注入具５が収納された状態では段差部７２６と係合していない。これにより、包装組立体１の輸送時の振動等により液体注入具５が包装体２の基端側に移動した場合に、キャップ７が外れることを防止することができる。
【００５６】
また、この包装体２では、第１の突出部３６および第２の突出部３７は、それぞれ、収納空間３４から液体注入具５を取り出す際に、キャップ７の少なくとも段差部７２６がキャップ収納空間３８に収納された状態で液体注入具５の基端部を開口部３５より上方に突出させることにより、段差部７２６と係合し（図４参照）、これにより、液体注入具５からキャップ７を取り外すことができるようになっている（図５参照）。
【００５７】
液体注入具５からキャップ７を取り外す際、第１の突出部３６および第２の突出部３７に段差部７２６を係合させることにより、高齢者等の握力の弱い人や、リウマチ患者等の手指が不自由な人でもキャップ７を容易かつ確実に取り外すことができる。
【００５８】
また、包装体２から液体注入具５を取り出す際に、段差部７２６に第１の突出部３６および第２の突出部３７が係合することによりキャップ７を取り外すことができ、キャップ７を手指で摘まんで取り外す操作を省略することができる。すなわち、包装体２から液体注入具５を取り出してキャップ７を取り外す操作を１工程で行うことができ、その操作を簡略化することができる。
【００５９】
また、第１の突出部３６および第２の突出部３７がそれぞれキャップ収納空間３８に配置されていることにより、液体注入具５からキャップ７を取り外した場合、キャップ７はキャップ収納空間３８に収納された状態となる。このため、キャップ７が転がったりせず、キャップ７を廃棄し易い。なお、第１の突出部３６および第２の突出部３７の数は、それぞれ、１つに限らず、２つ以上でもよい。
【００６０】
また、包装体２では、収納空間３４から液体注入具５を取り出す際に、段差部７２６に第１の突出部３６および第２の突出部３７が係合した状態で、シリンジ６１の中心軸（軸）６１４とキャップ７の中心軸（軸）７３とを略一致させたまま液体注入具５全体を傾斜させて液体注入具５の基端部を開口部３５から上方に突出させることが可能になっている。
【００６１】
これにより、包装体２から液体注入具５を取り出しつつキャップ７を取り外す際に、針６６を曲げてしまうことを防止することができる。
【００６２】
また、包装体２では、収納空間３４から液体注入具５を取り出す際に、第１の突出部３６および第２の突出部３７は、それぞれ、段差部７２６のキャップ７の中心軸７３を挟んで対向する部分に係合するようになっている。
【００６３】
これにより、液体注入具５からキャップ７を取り外す際、第１の突出部３６および第２の突出部３７は、液体注入具５の中心軸５１を挟むように段差部７２６と係合するので、第１の突出部３６および第２の突出部３７と段差部７２６との係合を中心に液体注入具５が回転し難くなり、確実にキャップ７を取り外すことができる。
【００６４】
また、包装体２では、収納空間３４に収納された液体注入具５の基端部を開口部３５より上方に突出させた際に、キャップ７の段差部７２６よりも先端側の部分が第２の突出部３７を乗り越えることにより、段差部７２６に第２の突出部３７が係合するようになっている（図３、図４参照）。
【００６５】
これにより、キャップ７の段差部７２６よりも先端側の部分が第２の突出部３７を乗り越える際の振動や音により、第２の突出部３７が段差部７２６に係合したことを使用者に認識させることができる。
【００６６】
ここで、第１の突出部３６および第２の突出部３７の位置や形状は、図示の構成には限定されず、諸条件に応じて適宜設定されるものであるが、図３に示す包装体２の側面視で（短軸方向Ｙから見たとき）、第１の突出部３６の先端面の中心と第２の突出部３７の先端面の中心とを結ぶ直線８１と、包装体２に収納された状態の液体注入具５のキャップ７の中心軸７３（シリンジ６１の中心軸６１４）とのなす角度θは、０〜８０°であることが好ましく、６５〜７５°であることがより好ましい。なお、段差部７２６と第１の突出部３６および第２の突出部３７とが係合した状態では、角度θは、約９０°になる（図４参照）。
【００６７】
角度θが前記上限値よりも大きいと、他の条件にもよるが、段差部７２６を第１の突出部３６および第２の突出部３７と係合させたとき、液体注入具５の基端部が開口部３５から突出し難くなる。また、角度θが前記下限値よりも小さいと、他の条件にもよるが、段差部７２６を第１の突出部３６および第２の突出部３７と係合させ難くなる。
【００６８】
また、容器３の構成材料としては、特に限定されず、例えば、紙、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミドのような各種樹脂等が挙げられる。
【００６９】
次に、包装組立体１の液体注入具５からキャップ７を取り外す際の操作手順について説明する。
【００７０】
まず、図２および図３に示すように、包装組立体１の包装体２から封止部材４を剥離する。
【００７１】
次に、図４に示すように、液体注入具５の基端部を手指で把持し、キャップの第２の突出部３７を包装体２のキャップ収納空間３８に収納した状態で、液体注入具５の基端部を上方に持ち上げ、その液体注入具５を傾斜させ、キャップ７の段差部７２６を第１の突出部３６および第２の突出部３７と係合させる（手指は不図示）。
【００７２】
この場合、キャップ７の段差部７２６よりも先端側の部分が第２の突出部３７を乗り越え、段差部７２６に第２の突出部３７が係合する。また、段差部７２６に第１の突出部３６および第２の突出部３７が係合し、シリンジ６１の中心軸６１４とキャップ７の中心軸７３とが略一致した状態で、液体注入具５の基端部が開口部３５から上方に突出する。また、キャップ７の段差部７２６よりも先端側の部分が第２の突出部３７を乗り越える際は、振動や音が発生し、これにより、使用者は、段差部７２６が第１の突出部３６および第２の突出部３７と係合したことを認識する。
【００７３】
次に、図５に示すように、液体注入具５を基端方向に移動させ、容器３から液体注入具５を取り出す。
【００７４】
これにより、液体注入具５からキャップ７が離脱し、容器３から液体注入具５の液体注入具本体６のみが取り出される。また、キャップ７は、キャップ収納空間３８に収納される。
【００７５】
以上説明したように、この包装組立体１によれば、液体注入具５からキャップ７を取り外す際、包装体２の第１の突出部３６および第２の突出部３７に、キャップ７の段差部７２６を係合させることにより、高齢者等の握力の弱い人や、リウマチ患者等の手指が不自由な人でもキャップ７を容易かつ確実に取り外すことができる。また、包装体２の収納空間３４から液体注入具５を取り出してキャップ７を取り外す操作を１工程で行うことができ、その操作を簡略化することができる。
【００７６】
以上、本発明の包装体および包装組立体を図示の実施形態に基づいて説明したが、本発明は、これに限定されるものではなく、各部は、同様の機能を発揮し得る任意の構成のものと置換することができる。また、任意の構成物が付加されていてもよい。
【００７７】
また、前記実施形態では、係合部（第１の突出部および第２の突出部）は、キャップの外周面に形成された段差部（第２の段差部）と係合することを意図して設けられているが、本発明では、これに限らず、本体部とキャップとの間に形成された段差部（第１の段差部）と係合することを意図して設けられていてもよい。
【００７８】
また、前記実施形態では、包装体は、容器の開口部を封止する封止部材を有しているが、本発明では、これに限らず、例えば、封止部材がなく、容器を収納する収納箱を有する構成でもよい。この場合、収納箱は容器をスライド可能に収納していることが好ましい。なお、包装体は、封止部材と収納箱の両方を有する構成であってもよい。
【００７９】
また、前記実施形態では、キャップは、リムーバーと針シールド部材とで構成されているが、本発明では、これに限らず、例えば、リムーバーが省略されていてもよい。この場合は、針シールド部材の外周面または本体部と針シールド部材との間に、段差部が設けられている。
【００８０】
また、前記実施形態では、液体注入具は、オートインジェクタであるが、本発明では、これに限らず、例えば、手動で押し子を押圧して液体を吐出する形態のものであってもよい。
【００８１】
また、前記実施形態では、液体注入具は、シリンジ内に予め薬液が収納されている構成であるが、これに限らず、例えば、シリンジ内に粉末製剤などの固形製剤としての薬剤が収納されていてもよい。この場合には、使用時にシリンジ内に溶解液等の液体を注入し、前記液体に薬剤を溶解してなるものを「薬液」として用いることができる。また、液体注入具は、液体が予め充填されていない形態のものであってもよい。
【符号の説明】
【００８２】
１              包装組立体
２              包装体
３              容器
３１            底部
３２            側壁部
３３            フランジ部
３３１          切欠部
３４            収納空間
３５            開口部
３６            第１の突出部
３７            第２の突出部
３８            キャップ収納空間
４              封止部材
５              液体注入具
５１            中心軸
６              液体注入具本体
６１            シリンジ
６１１          筒体
６１２          胴部
６１３          縮径部
６１４          中心軸
６２            シリンジホルダ
６３            ハウジング
６４            針カバー
６６            針
６７            ガスケット
７              キャップ
７１            針シールド部材
７１１          針先保護部材
７１２          カバー部材
７２            リムーバー
７２１          外筒
７２２          内筒
７２３          腕部
７２４          爪
７２５、７２６  段差部
７３            中心軸
８１            直線
【図１】
0006461534.tif 000002
【図２】
0006461534.tif 000003
【図３】
0006461534.tif 000004
【図４】
0006461534.tif 000005
【図５】
0006461534.tif 000006